(57)【要約】【課題】夏期だけでなく９月も日射遮蔽が可能であり、冬期だけでなく３月も日射取得が可能である日射遮蔽設備を提供する。【解決手段】複数の横桟部材を有する日射遮蔽部材４を含む日射遮蔽設備１であって、日射遮蔽部材４は、その法線Ｌ１が地面に対して第１角θ１（８０度以上１００度以下）をなすように固定可能であり、かつ、第１角θ１よりも１０度以上４０度以下小さい第２角θ２をなすように固定可能である。日射遮蔽部材４は、第１角θ１と第２角θ２との間では固定できないことが好ましい。【選択図】図３
2018066237.tif 000002
【特許請求の範囲】
【請求項１】
複数の横桟部材を有する日射遮蔽部材を含む日射遮蔽設備であって、
前記日射遮蔽部材は、その法線が地面に対して第１角（８０度以上１００度以下）をなすように固定可能であり、かつ、前記第１角よりも１０度以上４０度以下小さい第２角をなすように固定可能であることを特徴とする日射遮蔽設備。
【請求項２】
前記日射遮蔽部材は、前記第１角と前記第２角との間では固定できない請求項１に記載の日射遮蔽設備。
【請求項３】
前記日射遮蔽部材は第１面と第２面とを有し、
前記横桟部材は、前記第１面上に配列されている複数の第１横桟部材と、前記第２面上に配列されている複数の第２横桟部材を含んでおり、
前記第１横桟部材は、前記第２面側であって前記第２面の法線方向から視認可能であり、
前記第２横桟部材は、前記第１面側であって前記第１面の法線方向から視認可能である請求項１または２に記載の日射遮蔽設備。
【請求項４】
前記日射遮蔽設備は、支柱を有しており、
前記支柱は、前記日射遮蔽部材を前記第１角または前記第２角に固定する固定部を２箇所有している請求項１〜３のいずれか一項に記載の日射遮蔽設備。
【請求項５】
前記第１面と前記第２面とがなす角度の大きさは、５度以下である請求項３に記載の日射遮蔽設備。
【請求項６】
前記第１面において前記第１横桟部材が占める割合が３５〜６５％であり、
前記第２面において前記第２横桟部材が占める割合が３５〜６５％である請求項３または５に記載の日射遮蔽設備。
【請求項７】
前記第１横桟部材のうち、前記第２面側であって前記第２面の法線方向から視認される部分の面積は、前記第２面側であって前記第２面の法線方向から視認されない部分の面積の４倍〜２０倍である請求項３、５または６に記載の日射遮蔽設備。
【請求項８】
前記日射遮蔽部材は、複数の前記第１横桟部材同士が平行となるように、複数設けられる請求項３または５〜７のいずれか一項に記載の日射遮蔽設備。
【請求項９】
前記第１横桟部材及び前記第２横桟部材は、木製である請求項３または５〜８のいずれか一項に記載の日射遮蔽設備。
【請求項１０】
前記日射遮蔽部材は、建物の開口部の上部に設けられる請求項１〜９のいずれか一項に記載の日射遮蔽設備。
【発明の詳細な説明】
【技術分野】
【０００１】
本発明は日射遮蔽設備に関するものであり、詳細には太陽の南中高度がほぼ同じである９月と３月において、９月は日射遮蔽が可能であり、３月は日射取得が可能である日射遮蔽設備に関するものである。
【背景技術】
【０００２】
従来、窓や出入口等、建物の開口部の外部に設けられ、日差しの調整を行うものとして日射遮蔽設備が用いられており、６月から８月の夏期は室温上昇を防ぐために室内へ差し込む日光を遮り、１２月から２月の冬期は室温上昇のために日光を室内へ取り込むことが求められている。このような日射遮蔽設備として、本体部の前方に設けられた複数の水平材を傾斜させて構成した庇等が知られている（例えば、特許文献１参照）。
【先行技術文献】
【特許文献】
【０００３】
【特許文献１】特開２００８−２２３３４６号公報
【発明の概要】
【発明が解決しようとする課題】
【０００４】
しかし、日本では、９月（秋分）はまだ気温が高く冷房時期であり、室内へ差し込む日光を遮り、室温の上昇を防ぐ必要があるため、夏期だけでなく９月も日射遮蔽が求められている。また、３月（春分）はまだ気温が低く暖房時期であり、室内へ日光を取り込み、室温を上昇させる必要があるため、冬期だけでなく３月も日射取得が求められている。９月と３月は太陽の南中高度がほぼ同じであり、特許文献１に記載されているような構造の日射遮蔽部材では、９月の日射遮蔽と３月の日射取得の両立ができていない。
【０００５】
本発明は、前記の事情に鑑みてなされたものであり、その目的は、夏期だけでなく９月も日射遮蔽が可能であり、冬期だけでなく３月も日射取得が可能である日射遮蔽設備を提供することにある。
【課題を解決するための手段】
【０００６】
前記課題を解決することができた本発明の日射遮蔽設備は、複数の横桟部材を有する日射遮蔽部材を含む日射遮蔽設備であって、日射遮蔽部材は、その法線が地面に対して第１角（８０度以上１００度以下）をなすように固定可能であり、かつ、第１角よりも１０度以上４０度以下小さい第２角をなすように固定可能であることを特徴とするものである。本発明の日射遮蔽設備は、このような構成とすることにより、夏期及び９月は日射遮蔽が可能となり、冬期及び３月は日射取得が可能となる。
【０００７】
本発明の日射遮蔽設備において、日射遮蔽部材は、第１角と第２角との間では固定できないことが好ましい。これにより、日射遮蔽時と日射取得時における日射遮蔽部材のそれぞれ適する角度への切り替えを容易に行うことができる。
【０００８】
本発明の日射遮蔽設備において、日射遮蔽部材は第１面と第２面とを有し、横桟部材は、第１面上に配列されている複数の第１横桟部材と、第２面上に配列されている複数の第２横桟部材を含んでおり、第１横桟部材は、第２面側であって第２面の法線方向から視認可能であり、第２横桟部材は、第１面側であって第１面の法線方向から視認可能であることが好ましい。これにより、夏期及び９月の日射遮蔽と、冬期及び３月の日射取得とが両立できる。
【０００９】
本発明の日射遮蔽設備において、日射遮蔽設備は支柱を有しており、支柱は、日射遮蔽部材を第１角または第２角に固定する固定部を２箇所有していることが好ましい。これにより、日射遮蔽部材の角度の固定が容易に行えるようになる。
【００１０】
本発明の日射遮蔽設備において、第１面と第２面とがなす角度の大きさは５度以下であることが好ましい。これにより、夏期及び９月の日射遮蔽が行いやすくなり、冬期及び３月の日射取得が行いやすくなる。
【００１１】
本発明の日射遮蔽設備において、第１面において第１横桟部材が占める割合が３５〜６５％であり、第２面において第２横桟部材が占める割合が３５〜６５％であることが好ましい。これにより、夏期及び９月は日射を遮りやすく、冬期及び３月は日射を取り込みやすくなる。
【００１２】
本発明の日射遮蔽設備において、第１横桟部材のうち、第２面側であって第２面の法線方向から視認される部分の面積は、第２面側であって第２面の法線方向から視認されない部分の面積の４倍〜２０倍であることが好ましい。これにより、夏期及び９月の日射遮蔽と冬期及び３月の日射取得が効果的に行える。
【００１３】
本発明の日射遮蔽設備において、日射遮蔽部材は、複数の第１横桟部材同士が平行となるように、複数設けられることが好ましい。これにより、日射遮蔽部材の角度を変える作業が行いやすくなる。
【００１４】
本発明の日射遮蔽設備において、第１横桟部材及び第２横桟部材は、木製であることが好ましい。これにより、意匠性の高い日射遮蔽部材とすることができる。
【００１５】
本発明の日射遮蔽設備において、日射遮蔽部材は、建物の開口部の上部に設けられることが好ましい。これにより、夏期及び９月の日射遮蔽が行いやすくなる。
【発明の効果】
【００１６】
本発明の日射遮蔽設備は、複数の横桟部材を有する日射遮蔽部材を含む日射遮蔽設備であって、日射遮蔽部材は、その法線が地面に対して第１角（８０度以上１００度以下）をなすように固定可能であり、かつ、第１角よりも１０度以上４０度以下小さい第２角をなすように固定可能であることを特徴とする。このような構成であることにより、夏期及び９月は日射遮蔽が行えるようになり、冬期及び３月は日射取得が行えるようになる。また、間接光（直射日光以外の光）を室内に取り入れることができる。
【図面の簡単な説明】
【００１７】
【図１】本発明の実施の形態における日射遮蔽設備の側面図の一例を表す。
【図２】本発明の実施の形態における日射遮蔽設備の側面図の他の一例を表す。
【図３】本発明の実施の形態における固定孔の位置を示す側面図を表す。
【図４】本発明の実施の形態における日射遮蔽部材の第１面側であって第１面の法線方向から見た図を表す。
【図５】本発明の実施の形態における夏至の日射遮蔽状態の模式図を表す。
【図６】本発明の実施の形態における９月（秋分）の日射遮蔽状態の模式図を表す。
【図７】本発明の実施の形態における冬至の日射取得状態の模式図を表す。
【図８】本発明の実施の形態における３月（春分）の日射取得状態の模式図を表す。
【図９】本発明の他の実施の形態における日射遮蔽設備の側面図の一例を表す。
【図１０】本発明の他の実施の形態における日射遮蔽設備の側面図の他の一例を表す。
【図１１】本発明の他の実施の形態における夏至の日射遮蔽状態の模式図を表す。
【図１２】本発明の他の実施の形態における９月（秋分）の日射遮蔽状態の模式図を表す。
【図１３】本発明の他の実施の形態における冬至の日射取得状態の模式図を表す。
【図１４】本発明の他の実施の形態における３月（春分）の日射取得状態の模式図を表す。
【図１５】従来の日射遮蔽部材における夏至の日射遮蔽状態の模式図を表す。
【図１６】従来の日射遮蔽部材における９月（秋分）の日射遮蔽状態の模式図を表す。
【図１７】従来の日射遮蔽部材における冬至の日射取得状態の模式図を表す。
【図１８】従来の日射遮蔽部材における３月（春分）の日射取得状態の模式図を表す。
【発明を実施するための形態】
【００１８】
以下、本発明に係る日射遮蔽設備に関して、図面を参照しつつ具体的に説明するが、本発明はもとより図示例に限定される訳ではなく、前、後記の趣旨に適合し得る範囲で適当に変更を加えて実施することも可能であり、それらはいずれも本発明の技術的範囲に包含される。
【００１９】
本発明において、日射遮蔽設備は、庇やパーゴラ、ルーバー等のような、日除けのために設けられるものであり、図１及び図２に示すように、日射遮蔽部材４は、建物２に設けられた窓や出入口等の開口部３の外部に配置する。中でも、夏期の日射遮蔽効果を高めるため、建物２の開口部３の上部に設けられることが好ましい。
【００２０】
本発明に係る日射遮蔽設備１は、図１〜図３に示すように、複数の横桟部材を有する日射遮蔽部材４を含む日射遮蔽設備１であって、日射遮蔽部材４は、その法線Ｌ１が地面に対して第１角θ１（８０度以上１００度以下）をなすように固定可能であり、かつ、第１角θ１よりも１０度以上４０度以下小さい第２角θ２をなすように固定可能であることを特徴とするものである。本発明の日射遮蔽設備１は、日射遮蔽部材４が第１角θ１及び第２角θ２をなすように固定可能であることにより、太陽の南中高度がほぼ同じである９月（秋分）と３月（春分）でも、９月は日射を遮ることが行えるようになり、冷房の効率がよくなる。また、３月は日射を取り込むことが行えるようになり、暖房の効率がよくなる。
【００２１】
第１角θ１は、８２度以上であることが好ましく、８５度以上であることがより好ましく、８７度以上であることがさらに好ましく、９８度以下であることが好ましく、９５度以下であることがより好ましく、９３度以下であることがさらに好ましい。図３に示すように、第１角θ１がこのような角度であれば、例えば、宮崎県宮崎市では冬至の太陽の南中高度は約３５度であり、春分の太陽の南中高度は約５８度であるため、これらのような角度の直射日光を日射遮蔽部材４が遮らずに取り込みやすく、冬期及び３月（春分）の日射取得の効果が高くなる。また、第２角θ２は、第１角θ１よりも１２度以上小さい角度であることが好ましく、１５度以上小さい角度であることがより好ましく、２０度以上小さい角度であることがさらに好ましく、３８度以下小さい角度であることが好ましく、３５度以下小さい角度であることがより好ましく、３０度以下小さい角度であることがさらに好ましい。図３に示すように、第２角θ２がこのような角度であれば、例えば、宮崎県宮崎市では夏至の太陽の南中高度は約８２度であり、秋分の太陽の南中高度は約５８度であるため、これらのような角度の直射日光を日射遮蔽部材４が遮りやすく、夏期及び９月（秋分）の日射遮蔽の効果が高くなる。
【００２２】
日射遮蔽部材４は、第１角θ１と第２角θ２との間では固定できない、すなわち、固定箇所がないことが好ましい。日射遮蔽部材４がこのように構成されていれば、夏〜秋期（６月〜１１月）の日射遮蔽時には日射を遮るのに適した角度へ、冬〜春期（１２月〜５月）の日射取得時には日射を取り込むのに適した角度へ、一般消費者であっても迷うことなく容易に切り替えを行うことができる。
【００２３】
日射遮蔽部材４は、空側の第１面５と地面側の第２面６とを有し、第１面５上に複数の第１横桟部材７が配列されており、第２面６上に複数の第２横桟部材８が配列されており、第１横桟部材７は、第２面６側であって第２面６の法線方向から視認可能であり、第２横桟部材８は、第１面５側であって第１面５の法線方向から視認可能であることが好ましい。日射遮蔽部材４がこのように構成されていることにより、夏期の直射日光は遮蔽することができ、冬期の直射日光（以下、「日差し」と記載する場合がある）は取得することができ、また、間接光を室内に取り入れることができる。
【００２４】
図１５〜図１８に従来の日射遮蔽設備１７の日射遮蔽状況及び日射取得状況の模式図を示す。日射を表す矢印のうち、実線のものは差し込む日光を、破線のものは遮蔽した日光をそれぞれ表す。
【００２５】
図１５に示すように、従来の日射遮蔽設備１７では、夏至の日差し１３が横桟部材１８に当たることにより遮られ、室内へ入らないようにできる。しかし、図１６に示すように、従来の日射遮蔽設備１７では、９月（秋分）の日差し１４が横桟部材１８の隙間から透過し、室内へ入ってしまうものもある。９月はまだ気温が高く、冷房時期であり、室温の上昇を防ぐために室内への日差しの進入を防ぐ必要があるが、従来の日射遮蔽設備１７では室内への日差しの遮蔽が十分ではない。
【００２６】
図１７に示すように、従来の日射遮蔽設備１７では、冬至の日差し１５が横桟部材１８や柱材１９に当たることにより遮られるものがあり、室内へ十分には取り込むことができていない。また、図１８に示すように、従来の日射遮蔽設備１７では、３月（春分）の日差し１６が横桟部材１８や柱材１９に遮られ、室内へ十分に取り込むことができていない。３月はまだ気温が低く、暖房時期であり、室温を上昇させるために室内へ日差しを取り込む必要があるが、従来の日射遮蔽設備１７では室内への日差しの取り込みが十分ではない。
【００２７】
日射遮蔽は夏期だけではなく９月にも必要とされており、日射取得は冬期だけではなく３月にも必要とされているが、９月（秋分）の日差し１４と３月（春分）の日差し１６は太陽の南中高度がほぼ同じである。そのため、従来の日射遮蔽設備１７では、ほぼ同じ南中高度であるにもかかわらず、９月は室内へ差し込む日光を遮り、３月は日光を室内へ取り込むということは困難であった。
【００２８】
図５〜図８に日射遮蔽設備１の日射遮蔽状況及び日射取得状況の模式図を示す。図１５〜図１８と同じく、日射を表す矢印のうち、実線のものは差し込む日光を、破線のものは遮蔽した日光をそれぞれ表す。
【００２９】
図５に示すように、日射遮蔽部材４の角度を第２角θ２とすることにより、１年間で最も太陽の南中高度が高い夏至の日差し１３は第１横桟部材７に遮られ、複数の第１横桟部材７同士の間の隙間から透過した夏至の日差し１３は第２横桟部材８に遮られる。よって、夏至の日差し１３を日射遮蔽設備１が遮り、室内への日差しを防ぐことができる。
【００３０】
図６に示すように、日射遮蔽部材４の角度を第２角θ２とすることにより、夏至の南中高度よりも低く、３月（春分）とほぼ同じ角度である９月（秋分）の日差し１４は第１横桟部材７に遮られ、複数の第１横桟部材７同士の間の隙間から透過した９月（秋分）の日差し１４は第２横桟部材８に遮られる。よって、９月（秋分）の日差し１４を日射遮蔽設備１が十分遮ることができ、室内へ入る日光の量を減少させている。
【００３１】
図７に示すように、日射遮蔽部材４の角度を第１角θ１とすることにより、１年間で最も太陽の南中高度が低い冬至の日差し１５は第１横桟部材７及び第２横桟部材８に遮られない。よって、冬至の日差し１５を日射遮蔽設備１が透過させ、室内へ日差しを取り込むことができる。
【００３２】
図８に示すように、日射遮蔽部材４の角度を第１角θ１とすることにより、冬至の南中高度よりも高く、９月（秋分）とほぼ同じ角度である３月（春分）の日差し１６は一部が第１横桟部材７に遮られてしまうが、大半は第１横桟部材７及び第２横桟部材８に遮られない。よって、３月（春分）の日差し１６を日射遮蔽設備１が十分透過させることができ、室内へ日光を取り込んでいる。
【００３３】
従って、従来の日射遮蔽設備１７は、９月（秋分）の日射遮蔽及び３月（春分）の日射取得ができていなかったが、本発明の日射遮蔽設備１は、９月（秋分）の日射遮蔽及び３月（春分）の日射取得が可能となっている。
【００３４】
図１〜図３に示すように、第１面５と第２面６とがなす角度の大きさは、５度以下であることが好ましく、３度以下であることがより好ましく、１度以下であることがさらに好ましい。第１面５と第２面６がこのように形成されていれば、夏期及び９月の日射遮蔽効果を高めることができ、冬期及び３月の日射取得効果を高めることができる。
【００３５】
図１〜図４に示すように、第１面５において第１横桟部材７が占める割合が３５％以上であることが好ましく、４０％以上であることがより好ましく、４５％以上であることがさらに好ましく、６５％以下であることが好ましく、６０％以下であることがより好ましく、５５％以下であることがさらに好ましく、かつ、第２面６において第２横桟部材８が占める割合が３５％以上であることが好ましく、４０％以上であることがより好ましく、４５％以上であることがさらに好ましく、６５％以下であることが好ましく、６０％以下であることがより好ましく、５５％以下であることがさらに好ましい。第１面５における第１横桟部材７の割合及び第２面６における第２横桟部材８の割合がこのように形成されていれば、夏期及び９月は日差しを遮りやすくなり、冬期及び３月は日差しを取り込みやすくなる。
【００３６】
日射遮蔽部材４の第１面５上への第１横桟部材７の固定、及び、日射遮蔽部材４の第２面６上への第２横桟部材８の固定の方法は特に限定されない。例えば、第１横桟部材７や第２横桟部材８と側面部材９とをネジ、ボルトやナット、釘、接着剤、熱融着や溶接によって固定してもよく、これらの部材の嵌め合わせによって固定してもよい。中でも、組み立ての簡易性と強度が両立できることから、ネジによる固定が好ましい。
【００３７】
第１横桟部材７及び第２横桟部材８の形状は特に限定されず、平板状や角柱状、円柱状であってもよい。中でも、日射遮蔽部材４が軽量となるため、平板状が好ましい。
【００３８】
第１横桟部材７及び第２横桟部材８の幅は異なっていてもよく、統一されていてもよい。例えば、空側の第１横桟部材７の幅が地面側の第２横桟部材８の幅よりも大きく形成されていれば、雨が第１横桟部材７により遮られ、第２横桟部材８に到達する雨水量が減るため、日射遮蔽設備１に雨除けの効果を付与することができる。第１横桟部材７と第２横桟部材８の幅が統一されていれば、第１横桟部材７と第２横桟部材８とを共用部材とすることができ、製造コストを抑えることができる。
【００３９】
第１横桟部材７及び第２横桟部材８の材料は特に限定されず、例えば、木材や金属、樹脂等が挙げられる。例えば、木材であれば、意匠性の高い日射遮蔽部材４とすることができ、ステンレスであれば、日射遮蔽部材４の耐久性を高めることができる。
【００４０】
第１面５上に設けられる第１横桟部材７の数と、第２面６上に設けられる第２横桟部材８の数は、複数であれば特に限定されず、第１横桟部材７と第２横桟部材８の数が同数であってもよく、第１横桟部材７の方が第２横桟部材８よりも数が多くてもよく、第１横桟部材７の方が第２横桟部材８よりも数が少なくてもよい。中でも、第１横桟部材７の数が第２横桟部材８よりも多い方が、夏期及び９月の日射遮蔽効果が高まるため好ましい。
【００４１】
複数の第１横桟部材７及び第２横桟部材８が配置されている間隔は、それぞれ異なっていてもよく、均等であってもよい。例えば、建物２から離れるにつれて、複数の第１横桟部材７と第２横桟部材８の配置されている間隔が広くなっていれば、３月（春分）頃に室内へ日差しを取り込みやすくなる。反対に、建物２から離れるにつれて、複数の第１横桟部材７と第２横桟部材８の配置されている間隔が狭くなっていれば、９月（秋分）頃に室内への日差しを遮蔽しやすくなる。複数の第１横桟部材７と第２横桟部材８の配置されている間隔が均等であれば、製造が行いやすく、製造コストを抑えることができる。
【００４２】
第１横桟部材７のうち、第２面６側であって第２面６の法線方向から視認される部分の面積は、第２面６側であって第２面６の法線方向から視認されない部分の面積の４倍以上であることが好ましく、７倍以上であることがより好ましく、１０倍以上であることがさらに好ましく、２０倍以下であることが好ましく、１８倍以下であることがより好ましく、１５倍以下であることがさらに好ましい。第１横桟部材７がこのように形成されていれば、夏期及び９月の日射遮蔽と冬期及び３月の日射取得がより行いやすくなる。
【００４３】
図１〜図３に示すように、日射遮蔽設備１は支柱１２を有しており、日射遮蔽部材４は第１固定部１０ａ、１０ｂを有しており、支柱１２は、日射遮蔽部材４を第１角θ１に固定する第２固定部１１ａと、日射遮蔽部材４を第２角θ２に固定する第２固定部１１ｂを有していることが好ましい。日射遮蔽部材４を第１角θ１に固定するためには、第１固定部１０ａと第２固定部１１ａを合わせればよい。日射遮蔽部材４を第２角θ２に固定するためには、第１固定部１０ｂと第２固定部１１ｂを合わせればよい。日射遮蔽部材４がこのように固定されていれば、日射遮蔽部材４の角度を第１角θ１または第２角θ２に固定することが容易となる。
【００４４】
図９及び図１０に示すように、日射遮蔽部材４は、複数の第１横桟部材７同士が平行となるように、複数設けられることが好ましい。日射遮蔽部材４がこのように設けられていれば、日射遮蔽部材４の一つあたりの大きさを小さくできることにより、日射遮蔽部材４の一つあたりの重量を軽量化することができ、日射遮蔽部材４の角度を変える作業が容易となる。
【００４５】
図１１〜図１４に、日射遮蔽部材４を複数設けた場合の日射遮蔽状況及び日射取得状況の模式図を示す。図５〜図８及び図１５〜図１８と同様に、日射を表す矢印のうち、実線のものは差し込む日光を、破線のものは遮蔽した日光をそれぞれ表す。
【００４６】
図１１に示すように、夏至の日差し１３は第１横桟部材７に遮られ、複数の第１横桟部材７同士の間の隙間から透過した夏至の日差し１３は第２横桟部材８に遮られる。よって、夏至の日差し１３を日射遮蔽設備１が遮り、室内への日差しを防ぐことができており、図５に示した日射遮蔽設備１の日射遮蔽効果と同等の効果を有している。
【００４７】
図１２に示すように、９月（秋分）の日差し１４は第１横桟部材７に遮られ、複数の第１横桟部材７同士の間の隙間から透過した９月（秋分）の日差し１４は第２横桟部材８に遮られる。よって、９月（秋分）の日差し１４を日射遮蔽設備１が遮ることができ、室内への日差しを防ぐことができており、図６に示した日射遮蔽設備１の日射遮蔽効果と同等の効果を有している。
【００４８】
図１３に示すように、冬至の日差し１５は第１横桟部材７及び第２横桟部材８に遮られない。よって、冬至の日差し１５を日射遮蔽設備１が透過させ、室内へ日差しを取り込むことができており、図７に示した日射遮蔽設備１の日射取得効果と同等の効果を有している。
【００４９】
図１４に示すように、３月（春分）の日差し１６は一部が第１横桟部材７に遮られてしまうが、大半は第１横桟部材７及び第２横桟部材８に遮られない。よって、３月（春分）の日差し１６を日射遮蔽設備１が十分透過させることができ、室内へ日光を取り込んでおり、図８に示した日射遮蔽設備１の日射取得効果と同等の効果を有している。
【００５０】
上記のことより、日射遮蔽部材４を第１横桟部材７が配列されている方向または第２横桟部材８が配列されている方向のいずれかに沿って複数設けた場合でも、日射遮蔽効果及び日射取得効果は日射遮蔽部材４が単数である場合と同等の効果でありつつ、日射遮蔽部材４の一つ当たりの重量を低減でき、日射遮蔽部材４の角度を変える作業が行いやすくなる。
【００５１】
以上のように、本発明の日射遮蔽設備は、複数の横桟部材を有する日射遮蔽部材を含む日射遮蔽設備であって、日射遮蔽部材は、その法線が地面に対して第１角（８０度以上１００度以下）をなすように固定可能であり、かつ、第１角よりも１０度以上４０度以下小さい第２角をなすように固定可能であることを特徴とする。このことより、夏期及び９月は日射遮蔽が可能となり、冬期及び３月は日射取得が可能となる。
【符号の説明】
【００５２】
１：日射遮蔽設備
２：建物
３：開口部
４：日射遮蔽部材
５：第１面
６：第２面
７：第１横桟部材
８：第２横桟部材
９：側面部材
１０ａ：第１固定部
１０ｂ：第１固定部
１１ａ：第２固定部
１１ｂ：第２固定部
１２：支柱
１３：夏至の日差し
１４：９月（秋分）の日差し
１５：冬至の日差し
１６：３月（春分）の日差し
１７：従来の日射遮蔽設備
１８：横桟部材
１９：柱材
Ｌ１：法線
θ１：第１角
θ２：第２角
【図１】
2018066237.tif 000003
【図２】
2018066237.tif 000004
【図３】
2018066237.tif 000005
【図４】
2018066237.tif 000006
【図５】
2018066237.tif 000007
【図６】
2018066237.tif 000008
【図７】
2018066237.tif 000009
【図８】
2018066237.tif 000010
【図９】
2018066237.tif 000011
【図１０】
2018066237.tif 000012
【図１１】
2018066237.tif 000013
【図１２】
2018066237.tif 000014
【図１３】
2018066237.tif 000015
【図１４】
2018066237.tif 000016
【図１５】
2018066237.tif 000017
【図１６】
2018066237.tif 000018
【図１７】
2018066237.tif 000019
【図１８】
2018066237.tif 000020